(57)【特許請求の範囲】
【請求項１】
気体流入口３と気体流出口４を設けた中袋２をバルーン本体１の内部に、その気体流入口３がバルーン本体１の外部に開口して、気体流出口４がバルーン本体１の内部に開口するように取り付けるとともに、その中袋２にバルーン本体１の内部への気体の流入を可能となし、かつ、バルーン本体１の内部から外部への気体の流出を阻止する逆止弁５を設けて、その中袋２の内部に発光体６や発音体等のアクション装置を収容可能とし、
上記バルーン本体１を脹らます前はバルーン本体１の内部に没していて、バルーン本体１を脹らまして中袋２に弛みが生じたときに、バルーン本体１の外部へ引き出すことによりバルーン本体１の内部における中袋２の弛みを解消することができる長さ調節部１１を中袋２の一部に設け、上記長さ調節部１１は上記バルーン本体１に内部へ凹んで設けられたヘソ部１２に溶着により接合されていることを特徴とするバルーン玩具。
【発明の詳細な説明】
【０００１】
【発明の属する技術分野】
本発明はバルーン玩具に関する。
【０００２】
【従来の技術】
従来、空気弁付き気体流入口を設けたバルーン本体の内部に中袋を取り付けて、その中袋の内部に発光体等のアクション装置を収容したバルーン玩具が公知である。
【０００３】
このようなバルーン玩具は、バルーン本体の一部に空気弁付き気体流入口を設けて、さらに、バルーン本体の別の場所に中袋を取り付ける必要があるので、工程数が多くなってコスト高となる問題があった。
【０００４】
【発明が解決しようとする課題】
本発明は、バルーン本体の１箇所に気体流入口を設ける工程だけで、同時に、発光体等のアクション装置を収容する中袋も設けることができて、工程数を減らし製造コストを低減できるバルーン玩具の提供を課題とする。
【０００５】
【課題を解決するための手段】
上記課題を解決するために、本発明のバルーン玩具は、２箇所に気体流入口３と気体流出口４を設けた中袋２をバルーン本体１の内部に、その気体流入口３がバルーン本体１の外部に開口して、気体流出口４がバルーン本体１の内部に開口するように取り付けるとともに、その中袋２にバルーン本体１の内部への気体の流入を可能となし、かつ、バルーン本体１の内部から外部への気体の流出を阻止する逆止弁５を設けて、その中袋２の内部に発光体６や発音体等のアクション装置を収容可能とし、上記バルーン本体１を脹らます前はバルーン本体１の内部に没していて、バルーン本体１を脹らまして中袋２に弛みが生じたときに、バルーン本体１の外部へ引き出すことによりバルーン本体１の内部における中袋２の弛みを解消することができる長さ調節部１１を中袋２の一部に設け、上記長さ調節部１１は上記バルーン本体１に内部へ凹んで設けられたヘソ部１２に溶着により接合されていることを特徴とする。
【０００６】
【発明の実施の形態】
以下、図示した本発明の実施例に基づき、本発明の実施の形態について説明する。まず、バルーン本体１はプラスチックシートやゴムなどを素材として、内部にヘリウムや空気等の気体を入れて立体的に脹らますことができるように気密性を有する中空構造に形成している。このバルーン本体１の脹らんだ状態の形状は自由であり、図示した実施例のように円盤形にすることもできるが、その他、任意の形状にすることができる。このバルーン本体１は全部又は一部を透明、半透明、又は有色透明などにして、透光性を持たせることができる。また、バルーン本体１の表面にはキャラクター等の絵などを印刷等により表示することができる。
【０００７】
バルーン本体１は、その内部に中袋２を取り付けている。この中袋２もプラスチックシートやゴムなどを素材として気密性を具えるように形成している。
【０００８】
また、中袋２の形状も自由であり、図示した第１実施例（図１参照）のようにストレートなチューブ状にしたり、又は第２実施例（図２参照）のように枝部２ａを有するチューブ状にしたり、又は図は省略するが袋状などにすることができる。この中袋２は２箇所に気体流入口３と気体流出口４を設けている。
【０００９】
中袋２はバルーン本体１の内部に位置するように取り付けているが、その気体流入口３はバルーン本体１の外部に開口させ、その気体流出口４はバルーン本体１の内部に開口させている。中袋２において気体流出口４を設ける位置は自由であり、例えば、図示した第１実施例のように中袋２の先端近傍に設けることもできるし、又は第２実施例のように、中袋２に設けたチューブ状の枝部２ａの先端に設けることもできる。
【００１０】
中袋２には逆止弁５を設けている。この逆止弁５は、バルーン本体１の内部への気体の流入を可能となし、かつ、バルーン本体１の内部から外部への気体の流出を阻止する機能を有するものである。この逆止弁５を設ける位置は自由であり、図示した第１実施例のように中袋２の気体流入口３に設けることも可能であり、又は図示した第２実施例のようにバルーン本体１の内部に開口する中袋２の気体流出口４に設けることも可能である。
【００１１】
中袋２は、図示した実施例のように、その上端などをバルーン本体１に接続して固定することもできるが、フリーな状態にして揺ら揺らさせることも可能である。
【００１２】
バルーン本体１を脹らますには、バルーン本体１の外部に開口した中袋２の気体流入口３からヘリウムや空気等の気体を送り込む。中袋２に流入した気体は、その中袋２の内部を通過して、気体流出口４から流出することによりバルーン本体１の内部に流入することになる。なお、バルーン本体１の内部に気体が流入するときは、もちろん、逆止弁５が開くことになる。バルーン本体１の内部に気体が充満すると、バルーン本体１は脹らんだ状態となる。バルーン本体１の内部の気体は、逆止弁５が閉じるので、逆流して中袋２の気体流入口３から外部へ出ることはない。したがって、バルーン本体１からの気体の漏出は防止され、脹らんだ状態が維持されることになる。
【００１３】
なお、第２実施例のように、逆止弁５をバルーン本体１の内部に開口する中袋２の気体流出口４に設けると、バルーン本体１を脹らました状態で、そのバルーン本体１の内部に位置する逆止弁５に外部から手を触れることができなくなる。したがって、逆止弁５をいたずらして誤って開くことがなくなり、バルーン本体１から意に反して気体が抜けて萎むのを防止することができる。
【００１４】
また、バルーン本体１の内部を発光させたり、バルーン本体１の内部から音響を発生させたりすることにより、興趣を増大させることができるが、その場合、発光体６や発音体等のアクション装置は中袋２の内部に収容することができる。なお、発光体６などのアクション装置に接続するリード線７は、中袋２の気体流入口３からバルーン本体１の外部に突出させて、図示した実施例のように、スイッチ９付きの握り８に内蔵した電池（図は省略）に接続することができる。なお、図示した実施例のように、バルーン本体１と握り８の間でリード線７を露出させておくのを避けるために、バルーン本体１にパイプ状の棒体（図は省略）を取り付けて、その棒体の内部にリード線７を通す構造にすることも可能である。
【００１５】
なお、中袋２の内部にアクション装置として発光体６を収容する場合は、中袋２の全部又は一部を透光性素材で形成するとともに、バルーン本体１の全部又は一部も透光性素材で形成する。
【００１６】
また、中袋２の内部にはアクション装置のズレ防止具１０（図２参照）などを適宜設けることができる。
【００１７】
ところで、バルーン本体１と中袋２は溶着等により接合する必要がある。そして、その溶着等を行なう場合は、バルーン本体１と中袋２とを扁平状態で重ね合せて行なうのが普通である。しかしながら、中袋２の両端をバルーン本体１に対し溶着等により接合する構造にすると、完成状態においてバルーン本体１を脹らましたときに、バルーン本体１は脹らむ方向に垂直な方向の長さが縮小するのに対し、中袋２の同方向の長さは殆ど縮小しないので、中袋２に弛みが生じて見栄えが良くないという問題がある。そして、このような中袋２の弛みの発生を防止するには、バルーン本体１を脹らました形状にして、すなわち、バルーン本体１を立体的にして中袋２と接合すればよいが、そのような製造方法は実施が極めて困難である。そこで、脹らましたバルーン本体１の内部で中袋２に弛みが無くなり、かつ、製造も容易な構造のバルーン玩具が望まれている。そして、そのようなバルーン玩具を製造する方法として、例えば、バルーン本体１を脹らまして中袋２が弛んだときに、その中袋２の一部をバルーン本体１の外部へ引き出すことによりバルーン本体内部の中袋２を伸ばして弛みをとるという方法が考えられる。具体的には、バルーン本体１を脹らます前はバルーン本体１の内部に没していて、バルーン本体１を脹らまして中袋２に弛みが生じたときに、バルーン本体１の外部へ引き出すことによりバルーン本体１の内部における中袋２の弛みを解消することができる長さ調節部１１を中袋２の一部に設けるという構成が考えられる。この長さ調節部１１は、例えば、図４のＡに示すように、バルーン本体１の一部にバルーン本体１の内部方向へ凹んだヘソ部１２を設けて、中袋２をそのヘソ部１２の奥の位置に接合することにより設けることができる。すなわち、中袋２においてヘソ部１２の入り口からヘソ部１２の奥の接合位置までに相当する個所が長さ調節部１１となる。このような長さ調節部１１を設ければ、図４のＢに示すように、バルーン本体１を脹らまして中袋２に弛みが生じたときに、中袋２の一部、すなわち長さ調節部１１を、図４のＣに示すように、ヘソ部１２と共にそのヘソ部１２を反転させながらバルーン本体１の外部へ引き出すことにより、バルーン本体内部の中袋２を伸ばして弛みを無くすことができる。そして、このような構造にすれば、バルーン本体１と中袋２の溶着等による接合も両者を扁平にした状態で行なうことができるので、つまり、バルーン本体１を立体的な形状にせずに行なうことができるので製造が容易となる。なお、バルーン本体１の外部へ引き出した中袋２の長さ調節部１１が邪魔になる場合は、コンパクトに折畳んでクリップなどで挟み止めすることも可能である。
【００１８】
【発明の効果】
本発明のバルーン玩具は、バルーン本体１の内部へ気体を流入させてバルーン本体１を膨らますためにバルーン本体１に取り付ける逆止弁５付きの中袋２の内部に発光体６等のアクション装置を収容可能としたので、上記従来例のように、バルーン本体の一部に空気弁付き気体流入口を設けて、さらに、バルーン本体の別の場所にアクション装置を収容する中袋を取り付ける必要がなく、バルーン本体１の１箇所に中袋２を取り付ける工程だけですむので、工程数が減って製造コストを低減できるというメリットがある。また、請求項２記載の構成にすれば、脹らましたバルーン本体内部での中袋２の弛みを防止でき、かつ、製造が容易になる
【図面の簡単な説明】
【図１】バルーン本体を膨らました状態の第１実施例の断面図である。
【図２】バルーン本体を脹らました状態の第２実施例の断面図である。
【図３】図２のＡ−Ａ線における一部拡大断面図である。
【図４】バルーン本体の内部で弛んだ中袋を伸ばす状態を示す断面図である。
【符号の説明】
１ バルーン本体
２ 中袋
３ 気体流入口
４ 気体流出口
５ 逆止弁
６ 発光体
７ リード線
８ 握り
９ スイッチ
１０ ズレ防止具
１１ 長さ調節部
１２ ヘソ部
【図１】
0003927072.tif 000002
【図２】
0003927072.tif 000003
【図３】
0003927072.tif 000004
【図４】
0003927072.tif 000005